(57)【特許請求の範囲】
【請求項１】
ガイドケースと、このガイドケース内に昇降自在に配設された無端の搬送部材と、ガイドケースの下部の手前又は向こう側の一方に対設された２つの硬貨導入部材とを備え、前記２つの硬貨導入部材から投入された硬貨を前記搬送部材によりガイドケース内を上昇させる硬貨リフトアップ装置であって、前記ガイドケースの前面又は後面の中央部に内側に突出する凹部を上下方向に沿って設け、前記搬送部材の表面両側には上下方向に一定の間隔をあけて硬貨押し上げ用のプッシャーが逆ハ字状に並設され、これらのプッシャーは前記凹部を避けて通過できるようにし、前記２つの硬貨導入部材の導入口からそれぞれ誘導路を介してガイドケース内に重ならないように整列して１枚ずつ導入された硬貨を、前記凹部と前記搬送部材とでほぼ挟まれた状態で前記プッシャーにて押し上げることにより、前記搬送部材を一方向に回転させるだけでリフトアップすることを特徴とする硬貨リフトアップ装置。
【発明の詳細な説明】
【０００１】
【発明の属する技術分野】
本発明は、パチンコ店等に設置される硬貨両替機における硬貨リフトアップ装置に関するものである。
【０００２】
【従来の技術】
一般にパチンコ店に設置される硬貨両替機は、概略説明すると例えば特開平７−２５１４５８号公報に開示されているように複数のパチンコ機台を包含するブロック内に設置され、このブロック内の互いに隣接するパチンコ機台間には玉貸し機が配設され、この玉貸し機に投入された硬貨を左右一対の搬送ベルトによって硬貨両替機に回収し、回収された硬貨は硬貨両替機内の硬貨リフトアップ装置によりリフトアップされると共に、硬貨払出機構部及び硬貨回収部に適宜切り換えて送り込まれ、硬貨払出機構部に収容された硬貨は両替用硬貨として再使用される仕組みになっている。
【０００３】
【発明が解決しようとする課題】
前記従来の硬貨両替機においては、１基の硬貨リフトアップ装置に対して左右一対の回収用搬送ベルトが組み合わされ、この回収用搬送ベルトにより硬貨をガイドケース内に導入し、例えば左側の搬送ベルトから導入された硬貨はリフトアップベルトの正回転によりこのベルトに設けられた傾斜突条部にて保持して上昇させ、右側の搬送ベルトから導入された硬貨はリフトアップベルトの逆回転により同じく傾斜突条部にて保持して上昇させている。このため、２箇所から入ってくる硬貨をリフトアップする場合、駆動用のリフターモータを正逆回転させ、且つ正逆回転の切り換えタイミングを制御しなければならないという問題がある。
【０００４】
また、硬貨の回収は能率良く、しかもトラブルが発生することなく円滑になされるよう要求されるが、左右２箇所から導入される硬貨を１基の硬貨リフトアップ装置でリフトアップするため硬貨の渋滞が生じる問題があり、さらにガイドケースとリフトアップベルトとの間は比較的ゆったりとした空間（隙間）があるため、ガイドケース内に導入された硬貨が安定せずに所謂あばれが生じる問題もある。
【０００５】
そこで、本発明は、上記従来の問題を解消するためになされ、１基の硬貨リフトアップ装置と左右一対の回収用搬送ベルトの組み合わせからなる硬貨両替機において、２箇所から入ってくる硬貨をリフトアップする場合、駆動用のリフターモータを正逆回転せずに正回転のみでリフトアップができるようにし、硬貨の渋滞が生じることなく、ガイドケース内に導入された硬貨を安定させてあばれが生じないようにした硬貨リフトアップ装置を提供することを目的とする。
【０００６】
【課題を解決するための手段】
前記課題を技術的に解決するための手段として、本発明は、ガイドケースと、このガイドケース内に昇降自在に配設された無端の搬送部材と、ガイドケースの下部の手前又は向こう側の一方に対設された２つの硬貨導入部材とを備え、前記２つの硬貨導入部材から投入された硬貨を前記搬送部材によりガイドケース内を上昇させる硬貨リフトアップ装置であって、前記ガイドケースの前面又は後面の中央部に内側に突出する凹部を上下方向に沿って設け、前記搬送部材の表面両側には上下方向に一定の間隔をあけて硬貨押し上げ用のプッシャーが逆ハ字状に並設され、これらのプッシャーは前記凹部を避けて通過できるようにし、前記２つの硬貨導入部材の導入口からそれぞれ誘導路を介してガイドケース内に重ならないように整列して１枚ずつ導入された硬貨を、前記凹部と前記搬送部材とでほぼ挟まれた状態で前記プッシャーにて押し上げることにより、前記搬送部材を一方向に回転させるだけでリフトアップすることを要旨とする。
【０００７】
【発明の実施の形態】
以下、本発明の実施の形態を添付図面に基づいて詳説する。
図１は本発明に係る硬貨リフトアップ装置の実施の形態を示すもので、前面板２１ａと側面板２１ｂとでガイドケース２１が立設され、内部に上下一対のプーリー２２、２３と、これらプーリー２２、２３に巻回されたベルトからなる無端の搬送部材２４が配設され、この搬送部材２４は図示を省略した駆動用リフターモータを正回転させて一方向（図１（ロ）に矢印Ａで示す）に回転できるように構成され、さらに搬送部材２４の表面両側には上下方向に一定の間隔をあけて硬貨押し上げ用のプッシャー２４ａが逆ハ字状に並設されている。
【０００８】
ガイドケース２１の前面板２１ａの中央部には内側に突出する凹部２１ｃを上下方向に沿って設け、図１（イ）に示すようにその凹部２１ｃを避けて前記搬送部材２４のプッシャー２４ａが通過できるようにしてあり、しかも後で説明する硬貨導入部材から導入された硬貨を、この凹部２１ｃと搬送部材２４とでほぼ挟むようにしてプッシャー２４ａで押し上げられるようにしてある。
【０００９】
３１、３２は前記前面板２１ａの下部に対設された硬貨導入部材であり、これらの硬貨導入部材３１、３２は、上部の導入口３１ａ、３２ａから投入された硬貨を誘導路３１ｂ、３２ｂに沿って自転させ、ガイドケース２１内の手前側にそれぞれ導入できるようにしてある。なお、図示は省略したが硬貨導入部材３１、３２の導入口３１ａ、３２ａには左右に配設された硬貨回収用の搬送手段がそれぞれ接続される。
【００１０】
３３、３４は前記左右の硬貨導入部材３１、３２に関連させて前面板２１ａにステー３５を介して取り付けられたストッパ部材であり、図１（イ）に示すようにそれぞれソレノイド３３ａ、３４ａとこのソレノイドにより作動されるストッパ片３３ｂ、３４ｂとを備え、これらストッパ片３３ｂ、３４ｂの先端部は前面板２１ａに設けられたスリット孔２１ｄ、２１ｅから誘導路３１ｂ、３２ｂにそれぞれ出入し（実線は出状態、点線は入状態を示す）、誘導路３１ｂ、３２ｂをそれぞれ開閉できるようにしてある。
【００１１】
このように構成された硬貨リフトアップ装置Ｒｂは、前記と同様にパチンコ店等に設置される硬貨両替機内に配設して使用され、硬貨回収用の搬送手段により導入される硬貨をリフトアップして所定の箇所に送り込むことができる。
すなわち、左側の領域で回収された硬貨は、硬貨回収用の搬送手段によって左側の硬貨導入部材３１の導入口３１ａに投入され、誘導路３１ｂに沿って自転してガイドケース２１内の手前側に導入され、正回転している搬送部材２４の上昇に伴ってプッシャー２４ａで押し上げられる。このとき、硬貨は前記のように凹部２１ｃと搬送部材２４とでほぼ挟まれた状態でプッシャー２４ａにて押し上げられるため、ぶれ等の所謂あばれが生じることはない。また、図１（ロ）に示すように金種の異なる硬貨（例えば、５００円硬貨Ｐａと１００円硬貨Ｐｂ）を何れもリフトアップできるように逆ハ字状のプッシャー２４ａを設定してある。
【００１２】
このようにしてガイドケース２１の上端部までリフトアップされた硬貨は、図示は省略したがプッシャー２４ａが上部プーリー２２の周囲を回動するに連れて手前側から向こう側に移動されると共に、ガイド部材を介して硬貨出口に落下させられ、この硬貨出口から所定の箇所に送り込まれる。
【００１３】
一方、右側の領域で回収された硬貨は、硬貨回収用の搬送手段によって右側の硬貨導入部材３２の導入口３２ａに投入され、誘導路３２ｂに沿って自転してガイドケース２１内の手前側に導入され、前記と同様に正回転している搬送部材２４の上昇に伴って凹部２１ｃと搬送部材２４とでほぼ挟まれた状態でプッシャー２４ａにてリフトアップされる。従って、硬貨が左右いずれの硬貨導入部材３１、３２からガイドケース２１内に投入されても、搬送部材２４は一方向に回転させるのみで全ての硬貨をリフトアップすることができる。つまり、搬送部材２４の駆動用リフターモータを正逆回転させる必要はなく、正逆回転のタイミングを制御する必要もない。
【００１４】
硬貨のリフトアップ時において、前記ストッパ部材３３、３４は左右の硬貨導入部材３１、３２からの硬貨導入を規制する作用をなし、すなわち硬貨導入部材のいずれか一方を開いた時には他方を閉じることによりガイドケース２１内に硬貨を交互に導入するように設定される。これに合わせて搬送部材２４の送り速度を設定し、左右の硬貨回収用搬送手段は交互運転するように設定する。前記ソレノイド３３ａ、３４ａのＯＮ−ＯＦＦ、硬貨回収用搬送手段のＯＮ−ＯＦＦは、センサー（図略）により検知してタイミング良く切り換える構成にする。
【００１５】
【発明の効果】
以上説明したように、本発明によれば、１基の硬貨リフトアップ装置に左右一対の回収用搬送手段が配設され、２箇所から投入される硬貨をリフトアップする硬貨リフトアップ装置において、硬貨リフトアップ装置内の搬送部材を一方向に回転するだけで全てリフトアップできるようにしたので、駆動用のリフターモータを正逆回転させる必要がなく、且つ正逆回転の切り換えタイミングを制御する必要もないという効果を奏する。
【図面の簡単な説明】
【図１】本発明に係る硬貨リフトアップ装置の実施の一形態を示すもので、（イ）は要部の横断面図、（ロ）は概略正面図、（ハ）は中央縦断面図である。
【符号の説明】
２１  ガイドケース
２１ａ  前面板
２１ｂ  側面板
２１ｃ  凹部
２１ｄ、２１ｅ  スリット孔
２２、２３  プーリー
２４  搬送部材
２４ａ  プッシャー
３１、３２  硬貨導入部材
３１ａ、３２ａ  導入口
３１ｂ、３２ｂ  誘導路
３３、３４  ストッパ部材
３３ａ、３４ａ  ソレノイド
３３ｂ、３４ｂ  ストッパ片
３５  ステー
Ｐａ、Ｐｂ  硬貨
Ｒｂ  硬貨リフトアップ装置
【図１】
0003963507.tif 000002